(57)【特許請求の範囲】
【請求項１】
一対の電極箔の端部が互いに反対側に誘電体から突出してなるコンデンサ素子の複数を集合してなるコンデンサ素体において、コンデンサ素子が、そのコンデンサ素子の電極箔の電位と異なる電位の導体が隣接するとき、そのコンデンサ素子と導体との間にコンデンサ素子の厚みにほぼ相当する厚みの絶縁スペーサと前記絶縁スペーサを覆う絶縁紙を挿入するとともに、そのコンデンサ素子を覆う絶縁紙とを挿入し、そのコンデンサ素子を覆った絶縁紙の端部を前記絶縁スペーサ上に位置させるとともに、その絶縁紙の端部を、前記絶縁スペーサを覆う絶縁紙で覆ってなることを特徴とするコンデンサ素体。
【発明の詳細な説明】
【０００１】
【発明の属する技術分野】
本発明は、コンデンサ素体に関するものである。
【０００２】
【従来の技術】
力率改善用、調相用、フィルタ用等に使用されるコンデンサは、複数のコンデンサ素子を集合金具などを用いて集合してコンデンサ素体を形成し、このコンデンサ素体を絶縁油あるいは絶縁ガス等の絶縁媒体を充填したタンクや缶などに収納して構成されている。この場合のコンデンサ素子として、図３に示すように、帯状の絶縁紙またはプラスチックフィルムあるいは両者からなる誘電体１に、アルミニウム等からなり一方のコンデンサ電極となる電極箔２をその端部２ａを誘電体１から突出させて重ね、電極箔２に同様の誘電体３を誘電体１と対向させて重ね、誘電体３に他方のコンデンサ電極となる電極箔４をその端部４ａを誘電体３から前記端部２ａとは反対側に突出させて重ね、これを巻回して形成した、一対の電極箔２および４の端部２ａおよび４ａを互いに反対側に誘電体１および３から突出したコンデンサ素子５がある。
【０００３】
図４は、このようなコンデンサ素子５の複数（図では６個）を集合したコンデンサ素体の一例の概略構成を示すもので、図４において、５はコンデンサ素子、６は集合鉄板、７は集合金具、８は絶縁紙である。すなわち、コンデンサ素子５を誘電体から突出した電極箔を横方向にして立てて並べ、並べたコンデンサ素子の両側の端部に集合鉄板６を当てて集合金具７で集合鉄板６間を固定するようにされている。
【０００４】
コンデンサ素子５は電極箔の端部が誘電体から突出して露出しているため、隣接のコンデンサ素子５の電極箔の端部や集合鉄板６と短絡しやすいので、これを防ぐためにコンデンサ素子５間およびコンデンサ素子５と集合鉄板６間に絶縁紙８が挿入されている。絶縁紙８はコンデンサ素子５の片側半分の全周面を包むように折り曲げて覆い、その折り曲げた先端は隣接のコンデンサ素子５の外周面の中程にまで長く延び、隣接のコンデンサ素子５間、特に露出する電極間の絶縁距離（絶縁沿面距離）を長くしている。なお、この例ではコンデンサ素子５間の全てに絶縁紙８を挿入しているが、隣接のコンデンサ素子の電極と同相同電位である場合には絶縁紙８の挿入は省略できる。
【０００５】
【発明が解決しようとする課題】
ところで、図４に示すように、各コンデンサ素子５の同じ側（図示右側）に挿入している絶縁紙８を同じ方向に折り曲げていくと、その方向の先端部にあるコンデンサ素子５と集合鉄板６との間に挿入した絶縁紙８は、先端のコンデンサ素子５の反対側（図示左側）に位置し、その絶縁紙８を反対方向に折り曲げることとなる。この折り曲げを行なうとき、先端のコンデンサ素子５の右側の絶縁紙８の端部８ｃを折り返してしまう場合がある。この折り返しがあると隣接のコンデンサ素子５との絶縁沿面距離が短くなり、隣接のコンデンサ素子５との電位差が大きい場合には短絡する恐れがある。
【０００６】
本発明は、このような実情に鑑みなされたもので、一対の電極箔の端部が互いに反対側に誘電体から突出したコンデンサ素子からなるコンデンサ素体において、コンデンサ素子間などの絶縁沿面距離を確実に確保し、短絡の恐れのない信頼性の高いコンデンサ素体を提供することを目的とする。
【０００７】
【課題を解決するための手段】
本発明は、一対の電極箔の端部が互いに反対側に誘電体から突出してなるコンデンサ素子の複数を集合してなるコンデンサ素体において、コンデンサ素子が、そのコンデンサ素子の電極箔の電位と異なる電位の導体が隣接するとき、そのコンデンサ素子と導体との間にコンデンサ素子の厚みにほぼ相当する厚みの絶縁スペーサと前記絶縁スペーサを覆う絶縁紙を挿入するとともに、そのコンデンサ素子を覆う絶縁紙とを挿入し、そのコンデンサ素子を覆った絶縁紙の端部を前記絶縁スペーサ上に位置させるとともに、その絶縁紙の端部を、前記絶縁スペーサを覆う絶縁紙で覆ってなることを特徴とする。
【０００８】
本発明では、コンデンサ素子の電極箔の電位と異なる電位の導体が隣接するとき、その間に、コンデンサ素子の厚みにほぼ相当する厚みの絶縁スペーサとその絶縁スペーサを覆う絶縁紙を挿入し、その隣接のコンデンサ素子を覆う絶縁紙の端部を前記絶縁スペーサ上に位置させるとともに、その上を絶縁スペーサを覆う絶縁紙で覆うので、絶縁紙の折り返しがなくなり、電位の異なる隣接のコンデンサ素子間やコンデンサ素子と集合板間に長い絶縁沿面距離を確実に確保することができる。
【０００９】
【発明の実施の形態】
以下、図を参照して本発明の実施の形態について説明する。図１は本発明の実施の形態に係るコンデンサ素体の一部を分解して示す斜視図、図２は同コンデンサ素体の概略構成を示す断面図である。なお、全図において同一部分および対応する部分には同一の符号を付している。また、図１および図２では集合金具は省略している。
【００１０】
図１および図２において、５，５ａ，５ｂは図３に示すコンデンサ素子と同様に一対の電極箔の端部２ａおよび４ａを互いに反対側に誘電体から突出したコンデンサ素子、６ａ，６ｂは集合鉄板、８，８ａ，８ｂは絶縁紙、９はコンデンサ素子の厚みとほぼ同程度の厚みの絶縁スペーサである。この実施の形態に係るコンデンサ素体は、図４に示すコンデンサ素体と同様に、コンデンサ素子５，５ａ，５ｂを誘電体から突出した電極箔２ａ、４ａを横方向にして立てて並べ（図１参照）、並べたコンデンサ素子５，５ａ，５ｂの一方側（図２の右側）の端部（以下、右端という。）に集合鉄板６ｂを当て、他方の側（図１および図２の左側）の端部（以下、左端という。）は絶縁スペーサ９を介して集合鉄板６ａを当て、図示しない集合金具で集合鉄板６ａ、６ｂ間を固定するようにされている。
【００１１】
コンデンサ素子５間、右端のコンデンサ素子５ｂと集合鉄板６ｂ間および絶縁スペーサ９と集合鉄板６ａ間に絶縁紙８ａが挿入されている。右端のコンデンサ素子５ｂと集合鉄板６ｂ間に挿入された絶縁紙８および左端のコンデンサ素子５ａから一つおいたコンデンサ素子５までのコンデンサ素子５間に挿入された各絶縁紙８は、コンデンサ素子５の片側半分の全周面を包むように折り曲げて覆い、その折り曲げた先端は隣接のコンデンサ素子５の外周面の中程にまで長く延び、隣接のコンデンサ素子５間および右端のコンデンサ素子５ｂと集合鉄板６ｂ間の設計絶縁距離Ｌ1（設計絶縁沿面距離Ｌ1）を長くしている。
【００１２】
左端のコンデンサ素子５ａと隣接のコンデンサ素子５間に挿入された絶縁紙８ｂは、コンデンサ素子５間に挿入された各絶縁紙８と同様で、左端のコンデンサ素子５の片側半分の全周面を包むように折り曲げて覆い、その折り曲げた先端は隣接の絶縁スペーサ９の外周面の中程にまで長く延び、集合鉄板６ａと左端のコンデンサ素子５ａ間の設計絶縁距離Ｌ2（設計絶縁沿面距離Ｌ2）を長くしている。すなわち、絶縁スペーサ９と左端のコンデンサ素子５ａとを絶縁紙８ａと８ｂで全体を包み込んだようになっている。
【００１３】
絶縁スペーサ９の左側、つまり絶縁スペーサ９と集合鉄板６ａ間に挿入された絶縁紙８ａを折り曲げるとき、左端のコンデンサ素子５ａと隣接のコンデンサ素子５間に挿入された絶縁紙８ｂの折り曲げた先端は、絶縁スペーサ９の外周面の中程にあり、その先端が絶縁紙８ａに当たらないので絶縁紙８ｂの端部を折り返すことがなくなり、この折り返えしによる設計絶縁沿面距離Ｌ1を短くすることがない。
【００１４】
なお、以上の実施の形態ではコンデンサ素子間の全てに絶縁紙を挿入しているが、隣接のコンデンサ素子の電極と同相同電位である場合には絶縁紙８の挿入を省略しても良い。また、絶縁スペーサは、一方の端部の集合鉄板とその端部に近接のコンデンサ素子間に挿入しているが、その間に限らず絶縁紙の折り曲げ方向を変更する必要のある位置、例えば相間に挿入しても良く、絶縁スペーサの厚みは隣接のコンデンサ素子に延びる分以上の厚みがあれば良い。
【００１５】
【発明の効果】
以上詳述したように、本発明によれば、絶縁沿面距離を短縮することがなくなり、絶縁紙の折り込み作業が容易であるとともに、コンデンサ素子間やコンデンサ素子と集合鉄板間の絶縁沿面距離を確実に確保し、短絡の恐れのない信頼性の高いコンデンサ素体を得ることができる。
【図面の簡単な説明】
【図１】本発明の実施の形態に係るコンデンサ素体の一部を分解して示す斜視図である。
【図２】本発明の実施の形態に係るコンデンサ素体の概略構成を示す断面図である。
【図３】コンデンサ素子の構成を示す斜視図である。
【図４】従来のコンデンサ素体の一例の概略構成を示す断面図である。
【符号の説明】
１、３    誘電体
２、４    電極箔
２ａ、４ａ  電極箔の突出し端部
５、５ａ、５ｂ    コンデンサ素子
６ａ、６ｂ    集合鉄板
８、８ａ、８ｂ    絶縁紙
９    絶縁スペーサ
Ｌ1、Ｌ2    絶縁沿面距離
【図１】
0003921921.tif 000002
【図２】
0003921921.tif 000003
【図３】
0003921921.tif 000004
【図４】
0003921921.tif 000005